(57)【要約】【課題】近年自然界に於ける、気温変化が起り、自然界の温暖化防止対策とした、インターナシヨナルクール・アンドヒユーミダフアイア装置を提供する。【解決手段】河川水に於ける働きを最大限利用した装置であり河川水を１号２号のヒユーミダフアイアによって揚水を行ない、１号上部と２号上部に於て大気中に散水小舞させる、インターナシヨナルクール・アンド・ヒユーミダフアイア装置である。【選択図】図１
2009121450.tif 000002
【特許請求の範囲】
【請求項１】
河川水に於ける働きを最大限利用した装置であり、河川水を１号、２号のヒユーミダフアイアによって揚水を行ない、１号上部と２号上部に於て大気中に散水小舞させる、インターナシヨナルクール・アンド・ヒユーミダフアイア装置である。
【発明の詳細な説明】
【技術分野】
【０００１】本発明は、河川水に於ける、水量と流速に水温を必要とする、河川水を水車の動力とし風力発電機と太陽光発電機を運用させる、１号機２号機のヒユーミダフアイアを構造体内部に設置する、この河川水を１号、２号のヒユーミダフアイアによって櫓上部に揚水を行ない上部より大気中へ散水小舞する、インターナシヨナルクール・アンド・ヒユーミダフアイア装置である。
【背景技術】
【０００２】従来のヒユーミダフアイア（加湿器）では、建築構造体内部に於ける外気条件と内気条件により作成した、加熱湿式に除湿を行なう機械的な特性に於ける条態を設定する、なお建築構造体内部に於ける理想気体を必要とする事である。
【発明が解決しようとする課題】
【０００３】本発明は、この建築構造体内部に於ける温湿度を条件とする、加湿装置では無く別途課題とした、
インターナシヨナル地域に於ける、大気の理想気体とする補助を進捗する装置である、なお河川水本来の状態を最大限必要とした、この課題として流速と流量に水温を利用する装置である。
本発明は、以上の間題点を解決しようとする目的である。
【課題を解決する為の手段】
【０００４】本発明は、河川水に於ける働きを最大限必要とした、この条件とした河川水の両端に基礎を設置する、その上部に櫓を構築した、なお櫓内部にヒユーミダフアイア１号機と２号機を設置する、又１号機ヒユーミダフアイアでは河川水の下流側に傾かせた設計とする、この状態に及いて水量の増減対応となる、このヒユーミダフアイア１号機に装着する１号水車と２号水車を設けた、３号水車では発電機とする、この発電力に補助電力を供給する風力発電機と太陽光発電を同時に運用させた、又この動力源を利用して河川水を櫓上部に揚水を遂行して上部より散水小舞する方法となる、又本発明は、他方より動力源を求めない構造体である、インターナシヨナルクール・アンド・ヒユーミダフアイア装置である。
【発明の効果】
【０００５】本発明は、以上な構成となる、河川水に於る働きを必要とする、この河川水を利用する事になり、自然界に供給して理想気体を作成する事に寄与出来る物とした、この課題を進捗する為に、インターナシヨナルクール・アンド・ヒユーミダフアイアの高所より散水小舞させた。
又この状態に於ける加熱対流、湿式、吸収に助力する事である。
【発明を実施するための最良の形態】
【０００６】本発明は、河川水を有効活用する事であり、河川水自体の働きを構築する。この河川水を利用する必要性が発生した、なお河川水の水質変化率を最小になる方法とした。まず河川水の両端にインターナシヨナルクール・アンド・ヒユーミダフアイアの基礎図１−（１３）を設置する、この上部にインターナシヨナルクール・アンド・ヒユーミダフアイアの櫓図１−（１１）を構築する、又櫓内部に於て１号ヒユーミダフアイアの本体図１−（２０）と２号ヒユーミダフアイアの本体図１−（２６）を設置する。
なおこの状態によって提供する、条件としては、（イ）自力揚水方式に（ロ）流量増減対応方式と（ハ）水温、気温の変化に対応する方式となり（ニ）自力動力源対策とする（ホ）外気温低下対応方式とした。
（イ）自力揚水方式では、インターナシヨナルクール・アンド・ヒユーミダフアイアの基礎図１−（１３）にインターナシヨナルクール・アンド・ヒユーミダフアイアの櫓図１−（１１）を構築してこの櫓内部元１号ヒユーミダフアイアの本体図１−（２０）と２号ヒユーミダフアイアの本体図１−（２６）を設置する、なお１号の河川水取入口（１５）より河川水を揚水して１号ヒユミダフアイアの本体（２０）と２号ヒユーミダフアイアの本体（２６）の上部に揚水して散水小舞する事になる。
（ロ）河川水増減対応では、１号とヒユーミダフアイア本体図１−（２０）により河川水に於ける下流側に本体を傾斜して設置する。この状態では、１号ヒユーミダフアイアの本体（２０）に装着した２号の水車（１４）と上部に於ける１号のエレベーター用モーター（１７）を供用した。又１号エレベーターのレール（２２）を使用して河川水の増減対応とした、この課題を作成する事によって常に良効な働きを進捗する。
（ハ）水温、気温の変化に対応する方式では、河川水を利用する必要があり河川水に於ける働きに機械的な変化を求めない方法とする。この課題とする、１号ヒユーミダフアイアの本体（２０）と２号ヒユーミダフアイアの本体（２６）の内部に於ては、揚水方法をバケツトにて揚水する。なお揚水と一緒にエアーコンプレツサー（６）よりエアーを供給する、１号エアーの供給口（１０）と２号エアー供給口（３）に於て供給する事である、又低温対策として１号の温水ヒーター（２４）と２号の温水ヒーター（２８）によって水温低下の補助を作成し進捗する。
（ニ）動力源の対応とする方式では、河川水の流速を３号の水車発電機（１６）と風力発電機（３０）に太陽光発電機（１４）によって発電を行ない蓄電地（５）に供給した。なお蓄電地（５）より電熱部に送電する必要とする、自力動力源を提供する事になる。
（ホ）外気温低下に於ける対応方式では、水温低下による装置の不具合を解消する。まず１号ヒユーミダフアイアの本体（２０）に設置した１号の温水ヒーター（２４）と２号ヒユーミダフアイアの本体（２６）に設置した、２号の温水ヒーター（２８）を活動して対応とする。又エアーコンプレツサー（６）により１号エアー供給口（１０）と２号エアー供給口（３）に於て供給する事である。なお外部では塞気対応フアン（３１）を使用する事になる。
（イ）−（あ）  自力揚水方式証細
１号ヒユーミダフアイアの本体（２０）に１号の水車（１２）と上部に於ける、１号ヒユーミダフアイアのモーター（２３）の連動とする動力を１号ロールバケツト回転軸（１９）へ伝達して１号のロールバケツト（１８）で揚水し１号より２号への送水管（２１）に送って２号の水槽（９）に貯水する。
なお河川水取入口（１５）と１号エアーの供給口（１０）よりエアーの混合とする工程になる。又（９）の中間では、１号ヒユミダフアイアの水通路（７）に水を一部送り１号ヒユーミダフアイアの散水口（８）より散水小舞させる。なお２号ヒユーミダフアイアの本体（２６）では、２号ロールバケツトの回転軸（２７）に動力を伝達して２号のロールバケツト（２５）に２号ヒユーミダフアイアのモーター（２９）の動力に於いて揚水を行う。又２号の水通路（１）を使い２号の散水口（２）により水とエアーの混合水を散水小舞する。
（ロ）−（い）  河川水増減対応方式詳細
１号ヒユーミダフアイアの本体図１−（２０）により河川水に於ける、下流側に本体を傾斜を作り設置する。この課題とした構造では、天秤動作を加える事にした。これによった１号ヒユーミダフアイアの本体（２０）を両端に設けた、１号エレベーターのレール（２２）を使用して１号のエレベーター用モータ（１７）と共用する。２号の水車（１４）により河川水の増減対策とする。この動作における状態になり１号から２号の送水管（２１）を伸縮出来る構造とした。
（ハ）−（う）  水温、気温の変化の対応方式詳細
河川水に於ける働きを機械的な変化を最小限に設定した利用方式である。この課題としては、１号ヒユーミダフアイアの本体（２０）と２号ヒユーミダフアイアの本体（２６）の内部に於て揚水する作業では、バケツト方式により揚水する方法として河川水本来の強さを残す必要がある。又水温変化に対応する、エアーコンプレツサ（６）よりエアーを同時に供給する、河川水の働きに寄与する方法とした、又１号の温水ヒーター（２４）と２号の温水ヒータ（２８）によって水温調整を行ない水温ヒーターの活動に於ける時間調整を行なう必要とした。
（ニ）−（え）  動力源の対応方式詳細
河川水の流速を３号水車発電機（１６）と風力発電機（３０）と太陽光発電機（４）による発電を行ない蓄電地（５）に供給する。なお蓄電地（５）より各電熱部に通電する事になる、自力動力源を提供する。これにより１号ヒユーミダフアイアの本体（２０）に於ける１号の水車（１２）と１号ヒユーミダフアイアのモーター（２３）の共動な働きを作り、２号の水車（１４）と１号のエレベーター用モーター（１７）を共動させるこれとエアーコンプレツサ（１６）に送電する。又１号の温水ヒーター（２４）と２号ヒユーミダフアイアのモーター（２９）と２号温水ヒーター（２８）に供給して寒気対応フアン（３１）に通電し供給する。
（ホ）−（お）
外気温変化に於ける対応方式詳細
外気温変動ではヒユーミダフアイア内部に於ける、不具合を起さない条件とする。１号ヒユーミダフアイアの本体（２０）に１号の温度ヒーター（２４）と１号エアーの供給口（１０）を装着、２号ヒユーミダフアイアの本体（２６）と２号エアーの供給口（３）を装着する。又外側に於ける対策として外気対流フアン（３１）を働かせた対応とした。
【図面の簡単な説明】
【０００９】
【図１】  本発明  Ｃ正面図
【図２】  本発明  Ｅ平面図
【図３】  本発明  Ｂ左側面図
【図４】  本発明  Ｄ右側面図
【図５】  本発明  Ａ背面図
【図６】  本発明  Ｆ底面図
【符号の説明】
１  ２号の水通路
２  ２号の散水口
３  ２号エアーの供給口
４  太陽光発電機
５  蓄電地
６  エアーコンプレツサー
７  １号の水通路
８  １号の散水口
９  ２号の水槽
１０  １号エアーの供給口
１１  インターナシヨナルクール・アンドヒユーミダフアイアの櫓
１２  １号の水車
１３  インターナシヨナルクール・アンドヒユーミダフアイアの基礎
１４  ２号の水車
１５  １号の河川水取入口
１６  ３号の水車発電機
１７  １号のエレベータ用モーター
１８  １号のロールバケツト
１９  １号のロールバケツト回転軸
２０  １号ヒユーミダフアイアの本体
２１  １号より２号への送水管
２２  １号エレベーターのレール
２３  １号ヒユーミダフアイアのモーター
２４  １号の温水ヒーター
２５  ２号のロールバケツト
２６  ２号ヒユーミダフアイアの本体
２７  ２号ロールバケツトの回転軸
２８  ２号の温水ヒーター
２９  ２号ヒユーミダフアイアのモーター
３０  風力発電機
３１  寒気対応フアン
【図１】
2009121450.tif 000003
【図２】
2009121450.tif 000004
【図３】
2009121450.tif 000005
【図４】
2009121450.tif 000006
【図５】
2009121450.tif 000007
【図６】
2009121450.tif 000008